(57)【要約】  液晶パネル及び液晶ディスプレイは、対向して設けられたＴＦＴ基板及びＣＦ基板を含み、前記ＴＦＴ基板の各サブ画素領域のそれぞれには、第一導電フィルム（１）が設けられており、前記ＣＦ基板の各サブフィルタ単位領域のそれぞれには、前記第一導電フィルム（１）に対向する第二導電フィルム（３）が設けられており、前記第一導電フィルム（１）と前記第二導電フィルム（３）とは、共に矩形であり、前記第一導電フィルム（１）の中心は、前記第二導電フィルム（３）の中心に投影されており、前記第二導電フィルム（３）の面積は、前記第一導電フィルム（１）の面積よりも大きく、前記第二導電フィルム（３）における前記第一導電フィルム（１）よりも大きい領域には、環状導電フィルムが形成されており、前記環状導電フィルムの各辺のそれぞれには、切欠（３１）が開設されており、前記切欠（３１）の一辺と前記第一導電フィルム（１）の一辺とが揃えられており、前記切欠（３１）は、前記切欠（３１）が位置する前記環状導電フィルムの辺の中心に関して対称である。該液晶パネル及び液晶ディスプレイは、暗縞の度合いを軽減し、液晶パネルの透過率を向上させることができる。
2019515344.tif 000002
【特許請求の範囲】
【請求項１】
対向して設けられたＴＦＴ薄膜トランジスタ基板及びＣＦカラーフィルタ基板を含み、前記ＴＦＴ基板の各サブ画素領域のそれぞれには、第一導電フィルムが設けられており、前記ＣＦ基板の各サブフィルタ単位領域のそれぞれには、前記第一導電フィルムに対向する第二導電フィルムが設けられており、前記第一導電フィルムと前記第二導電フィルムとは、共に矩形であり、前記第一導電フィルムの中心は、前記第二導電フィルムの中心に投影されており、前記第二導電フィルムの面積は、前記第一導電フィルムの面積よりも大きく、前記第二導電フィルムにおける前記第一導電フィルムよりも大きい領域には、環状導電フィルムが形成されており、前記環状導電フィルムの各辺のそれぞれには、切欠が開設されており、前記切欠の一辺と前記第一導電フィルムの一辺とが揃えられており、且つ、前記切欠は、前記切欠が位置する前記環状導電フィルムの辺の中心に関して対称である、液晶パネル。
【請求項２】
複数の前記第二導電フィルムの対応する複数の前記環状導電フィルムが繋がっており、複数の前記第一導電フィルムと複数の前記切欠とは、共にアレイ状に分布している、請求項１に記載の液晶パネル。
【請求項３】
前記第一導電フィルムと前記第二導電フィルムとは、共に透明導電フィルムである、請求項１に記載の液晶パネル。
【請求項４】
前記第一導電フィルムと前記第二導電フィルムとは、共に透明なＩＴＯインジウムスズ酸化物フィルムである、請求項３に記載の液晶パネル。
【請求項５】
前記ＴＦＴ基板及び前記ＣＦ基板のそれぞれには、高分子材料製の配向膜が塗布されている、請求項１に記載の液晶パネル。
【請求項６】
前記配向膜は、ポリイミド製である、請求項５に記載の液晶パネル。
【請求項７】
前記第一導電フィルムと前記第二導電フィルムとは、共に透明導電フィルムである、請求項２に記載の液晶パネル。
【請求項８】
前記第一導電フィルムと前記第二導電フィルムとは、共に透明なＩＴＯインジウムスズ酸化物フィルムである、請求項７に記載の液晶パネル。
【請求項９】
前記ＴＦＴ基板及び前記ＣＦ基板のそれぞれには、高分子材料製の配向膜が塗布されている、請求項２に記載の液晶パネル。
【請求項１０】
前記配向膜は、ポリイミド製である、請求項９に記載の液晶パネル。
【請求項１１】
液晶パネルを含む液晶ディスプレイであって、前記液晶パネルは、対向して設けられたＴＦＴ薄膜トランジスタ基板及びＣＦカラーフィルタ基板を含み、前記ＴＦＴ基板の各サブ画素領域のそれぞれには、第一導電フィルムが設けられており、前記ＣＦ基板の各サブフィルタ単位領域のそれぞれには、前記第一導電フィルムに対向する第二導電フィルムが設けられており、前記第一導電フィルムと前記第二導電フィルムとは、共に矩形であり、前記第一導電フィルムの中心は、前記第二導電フィルムの中心に投影されており、前記第二導電フィルムの面積は、前記第一導電フィルムの面積よりも大きく、前記第二導電フィルムにおける前記第一導電フィルムよりも大きい領域には、環状導電フィルムが形成されており、前記環状導電フィルムの各辺のそれぞれには、切欠が開設されており、前記切欠の一辺と前記第一導電フィルムの一辺とが揃えられており、且つ、前記切欠は、前記切欠が位置する前記環状導電フィルムの辺の中心に関して対称である、液晶ディスプレイ。
【請求項１２】
複数の前記第二導電フィルムの対応する複数の前記環状導電フィルムが繋がっており、複数の前記第一導電フィルムと複数の前記切欠とは、共にアレイ状に分布している、請求項１１に記載の液晶ディスプレイ。
【請求項１３】
前記第一導電フィルムと前記第二導電フィルムとは、共に透明導電フィルムである、請求項１１に記載の液晶パネル。
【請求項１４】
前記第一導電フィルムと前記第二導電フィルムとは、共に透明なＩＴＯインジウムスズ酸化物フィルムである、請求項１３に記載の液晶ディスプレイ。
【請求項１５】
前記ＴＦＴ基板及び前記ＣＦ基板のそれぞれには、高分子材料製の配向膜が塗布されている、請求項１１に記載の液晶パネル。
【請求項１６】
前記配向膜は、ポリイミド製である、請求項１５に記載の液晶ディスプレイ。
【請求項１７】
前記第一導電フィルムと前記第二導電フィルムとは、共に透明導電フィルムである、請求項１２に記載の液晶ディスプレイ。
【請求項１８】
前記第一導電フィルムと前記第二導電フィルムとは、共に透明なＩＴＯインジウムスズ酸化物フィルムである、請求項１７に記載の液晶ディスプレイ。
【請求項１９】
前記ＴＦＴ基板及び前記ＣＦ基板のそれぞれには、高分子材料製の配向膜が塗布されている、請求項１２に記載の液晶パネル。
【請求項２０】
前記配向膜は、ポリイミド製である、請求項１９に記載の液晶ディスプレイ。
【発明の詳細な説明】
【技術分野】
【０００１】
＜出願／優先権に関する援用＞
本願は、２０１６年４月２８日に中国特許局へ出願された、出願番号が２０１６１０２７２４０６．４、発明名称が「液晶パネル及び液晶ディスプレイ」となる中国特許出願の優先権を主張し、上記出願の内容は、参照によりその全体が本明細書に組み込まれる。
【０００２】
本発明は、液晶製造技術分野に関し、特に、液晶パネル及び前記液晶パネルを有する液晶ディスプレイに関する。
【背景技術】
【０００３】
ＶＡ（Ｖｅｒｔｉｃａｌ  Ａｌｉｇｎｍｅｎｔ、垂直配向）モードは、広視野角、高コントラストやラビング配向不要などの利点を持つため、大型ＴＦＴ−ＬＣＤ（Ｔｈｉｎ  Ｆｉｌｍ  Ｔｒａｎｓｉｓｔｏｒ−Ｌｉｑｕｉｄ  Ｃｒｙｓｔａｌ  Ｄｉｓｐｌａｙ、薄膜トランジスタ液晶ディスプレイ）の一般的な表示モードになっている。様々なＶＡ表示技術の中では、ＵＶ２Ａ（Ｕｌｔｒａ  Ｖｉｏｌｅｔ  Ｉｎｄｕｃｅｄ  Ｍｕｌｔｉ−Ｄｏｍａｉｎ  Ｖｅｒｔｉｃａｌ  Ａｌｉｇｎｍｅｎｔ、紫外光誘起マルチドメイン垂直配向）技術によって製造された液晶パネルは、高開口率、高コントラストや高速応答などの特性を有している。ＵＶ２Ａは、ＵＶ（Ｕｌｔｒａ  Ｖｉｏｌｅｔ）光を利用して、ＶＡ液晶配向を行う光配向技術であり、配向膜に走光性を持つ添加剤を添加し、直線偏光とされる紫外光で該配向膜を照射して、液晶分子に対する配向制御力を該配向膜に付与することにより、液晶分子の回転を制御する。
【０００４】
液晶パネルの上下基板間にはフリンジ電界が形成され、このフリンジ電界によって、両基板の間に介在されている液晶分子に電界力が作用し、液晶分子の回転に影響を与える。更に、ＵＶ２Ａによる特有の直交垂直光配向方式に起因して、配向方向の変化に伴い、画素セル内には、例えば
2019515344.tif 000003
のような暗縞が形成されてしまう。暗縞は、液晶パネルの透過率を低下させ、液晶パネルのコントラストに影響を与えてしまう。
【発明の概要】
【発明が解決しようとする課題】
【０００５】
これに鑑みて、本発明は、暗縞の度合いを軽減し、液晶パネルの透過率を向上させることができる液晶パネル及び前記液晶パネルを有するディスプレイを提供している。
【課題を解決するための手段】
【０００６】
本発明は、液晶パネルを含む液晶ディスプレイであって、前記液晶パネルは、対向して設けられたＴＦＴ薄膜トランジスタ基板及びＣＦカラーフィルタ基板を含み、前記ＴＦＴ基板の各サブ画素領域のそれぞれには、第一導電フィルムが設けられており、前記ＣＦ基板の各サブフィルタ単位領域のそれぞれには、前記第一導電フィルムに対向する第二導電フィルムが設けられており、前記第一導電フィルムと前記第二導電フィルムとは、共に矩形であり、前記第一導電フィルムの中心は、前記第二導電フィルムの中心に投影されており、前記第二導電フィルムの面積は、前記第一導電フィルムの面積よりも大きく、前記第二導電フィルムにおける前記第一導電フィルムよりも大きい領域には、環状導電フィルムが形成されており、前記環状導電フィルムの各辺のそれぞれには、切欠が開設されており、前記切欠の一辺と前記第一導電フィルムの一辺とが揃えられており、且つ、前記切欠は、前記切欠が位置する前記環状導電フィルムの辺の中心に関して対称である、液晶パネルである。
【０００７】
そのうち、複数の前記第二導電フィルムの対応する複数の前記環状導電フィルムが繋がっており、複数の前記第一導電フィルムと複数の前記切欠とは、共にアレイ状に分布している。
【０００８】
そのうち、前記第一導電フィルムと前記第二導電フィルムとは、共に透明導電フィルムである。
【０００９】
そのうち、前記第一導電フィルムと前記第二導電フィルムとは、共に透明なＩＴＯインジウムスズ酸化物フィルムである。
【００１０】
そのうち、前記ＴＦＴ基板及び前記ＣＦ基板のそれぞれには、高分子材料製の配向膜が塗布されている。
【００１１】
そのうち、前記配向膜は、ポリイミド製である。
【００１２】
本発明は、液晶パネルを含む液晶ディスプレイであって、前記液晶パネルは、対向して設けられたＴＦＴ薄膜トランジスタ基板及びＣＦカラーフィルタ基板を含み、前記ＴＦＴ基板の各サブ画素領域のそれぞれには、第一導電フィルムが設けられており、前記ＣＦ基板の各サブフィルタ単位領域のそれぞれには、前記第一導電フィルムに対向する第二導電フィルムが設けられており、前記第一導電フィルムと前記第二導電フィルムとは、共に矩形であり、前記第一導電フィルムの中心は、前記第二導電フィルムの中心に投影されており、前記第二導電フィルムの面積は、前記第一導電フィルムの面積よりも大きく、前記第二導電フィルムにおける前記第一導電フィルムよりも大きい領域には、環状導電フィルムが形成されており、前記環状導電フィルムの各辺のそれぞれには、切欠が開設されており、前記切欠の一辺と前記第一導電フィルムの一辺とが揃えられており、且つ、前記切欠は、前記切欠が位置する前記環状導電フィルムの辺の中心に関して対称である、液晶ディスプレイである。
【００１３】
そのうち、複数の前記第二導電フィルムの対応する複数の前記環状導電フィルムが繋がっており、複数の前記第一導電フィルムと複数の前記切欠とは、共にアレイ状に分布している。
【００１４】
そのうち、前記第一導電フィルムと前記第二導電フィルムとは、共に透明導電フィルムである。
【００１５】
そのうち、前記第一導電フィルムと前記第二導電フィルムとは、共に透明なＩＴＯインジウムスズ酸化物フィルムである。
【００１６】
そのうち、前記ＴＦＴ基板及び前記ＣＦ基板のそれぞれには、高分子材料製の配向膜が塗布されている。
【００１７】
そのうち、前記配向膜は、ポリイミド製である。
【発明の効果】
【００１８】
以上より、本発明の液晶パネル及び前記液晶パネルを有する液晶ディスプレイは、ＣＦ基板における第二導電フィルムの各辺のそれぞれに切欠を設け、切欠を長さ方向で第二導電フィルムの辺の中心に関して対称的に分布させ、切欠の一辺を幅方向で第一導電フィルムの辺と揃えることにより、液晶分子に対する切欠の位置からのフリンジ電界効果を解消し、エッジ暗縞の形成を回避したので、暗縞の度合いを軽減し、液晶パネルの透過率及びコントラストを向上させている。
【図面の簡単な説明】
【００１９】
本発明の実施例に係る解決手段をより明らかに説明するために、以下、実施例において使用する必要がある図面を簡単に紹介するが、勿論、下記の図面は、本発明の一部の実施例に過ぎず、当業者にとっては、創造的努力を払わずに、これらの図面から他の図面を得ることもできる。
【図１】図１は、従来技術に係る液晶パネルにおけるサブ画素領域内の第二導電フィルム及び第一導電フィルムの構造の模式図である。
【図２（ａ）−２（ｄ）】図２（ａ）〜図２（ｄ）は、従来技術に係るＴＦＴ基板におけるサブ画素領域内に暗縞が生じる原理の模式図である。
【図３】図３は、本発明の実施例に係る液晶パネルにおけるサブ画素領域内の第二導電フィルム及び第一導電フィルムの構造の模式図である。
【図４】図４は、本発明の実施例に係るＴＦＴ基板におけるサブ画素領域内の暗縞のシミュレーション表示の模式図である。
【図５】図５は、本発明の実施例に係る液晶パネルにおける複数の第二導電フィルムと複数の第一導電フィルムとがアレイ状に配列して形成された画素構造の模式図である。
【発明を実施するための形態】
【００２０】
以下、本発明の実施例における図面を参照して、本発明の実施例における解決手段を明確且つ完全に説明する。勿論、説明される実施例は、本発明の一部の実施例に過ぎず、全部の実施例ではない。本発明の実施例に基づいて、創造的労働を払わずに当業者によって得られた他の実施例は、全て本発明の保護範囲内とされる。
【００２１】
液晶パネルは、ＴＦＴ（ＴｈｉｎＦｉｌｍ  Ｔｒａｎｓｉｓｔｏｒ、薄膜トランジスタ）基板、液晶層、及び、ＣＦ（Ｃｏｌｏｒ  Ｆｉｌｔｅｒ、カラーフィルタ）基板を含む。そのうち、ＴＦＴ基板とＣＦ基板とが対向して設けられ、両者の間に液晶層が介在されている。ＴＦＴ基板には、複数のサブ画素領域が含まれ、ＣＦ基板には、複数のサブフィルタ単位領域が含まれており、ＴＦＴ基板における各サブ画素領域と、ＣＦ基板における各サブフィルタ単位領域とが、対応して設けられている。ＴＦＴ基板における各サブ画素領域のそれぞれには、第一導電フィルムが設けられており、ＣＦ基板における各サブフィルタ単位領域のそれぞれには、第二導電フィルムが設けられており、第一導電フィルムと第二導電フィルムとが、対向して設けられている。図１は、従来技術におけるＶＡモードのＴＦＴ液晶パネル（不図示）を示しており、そのうち、第二導電フィルム２の面積は、第一導電フィルム１の面積よりも大きい。
【００２２】
液晶分子の配列方向を制御するために、ＣＦ基板及びＴＦＴ基板のそれぞれには、配向膜（不図示）が塗布されている。配向膜は、高分子材料製とされ、更に配向技術による処理を経て得られる。配向膜は、液晶分子に対する配向制御力を有しており、液晶分子を一定の方向に従って配列させてカラー表示を実現することができる。配向技術には、主に、ラビング配向技術及び非ラビング配向技術があり、非ラビング配向技術は、機械的なラビング配向による配向膜の不具合を回避することができる。非ラビング配向技術の中では、ＵＶ２Ａ技術が広く使用されている。ＵＶ２Ａ技術では、ＣＦ基板及びＴＦＴ基板における配向膜には、走光性添加剤が加えられており、直線偏光とされるＵＶ光で、ＣＦ基板及びＴＦＴ基板における配向膜を照射する。ＵＶ光は、一定の斜め角度をもって配向膜に正確に照射されることにより、配向膜における特殊な高分子材料が、ピコメートル（ｐｍ）レベルの高精度でＵＶ光の照射角度に均一且つ自動的に導かれ、更に、液晶分子のプレチルト角が、配向膜高分子の方向に自動的に導かれて、液晶分子が、ＵＶ光の方向に沿って斜めに配列するように制御される。上述のように、ＣＦ基板における第二導電フィルムの面積は、ＴＦＴ基板における第一導電フィルムの面積よりも大きくなっており、フリンジ電界効果に起因して、第二導電フィルムの周縁における電界密度が大きくなり、第二導電フィルム内部を指向する強い電界力が形成される。該電界力の作用により、本来、配向方向に従って整然と配列していた液晶分子は、傾倒方向における交差、乗り上げが発生するため、ＴＦＴ基板のサブ画素領域内には、暗縞が形成されてしまう。ＵＶ２Ａ技術では、ＵＶ光が異なる方向で照射されると、それに応じて、異なる形状の暗縞が現れる。
【００２３】
具体的に、図２（ａ）〜図２（ｄ）は、従来技術に係るＴＦＴ基板のサブ画素領域内における異なる形状の暗縞の形成の様子を示している。図２（ａ）において、黒い四角の枠は、ＴＦＴ基板におけるサブ画素領域を表し、実線矢印は、前記電界力の方向を現し、破線矢印は、ＵＶ２Ａによる配向中における液晶分子の回転方向を表し、
2019515344.tif 000004
状実線は、暗縞の一種を表している。該
2019515344.tif 000005
状暗縞の形成原理としては、前記電界力の方向と、第二導電フィルムのエッジの近くにおける液晶分子の回転方向との夾角が９０度を超えると、そこの液晶分子には、傾倒方向における交差、乗り上げが発生するため、そこにエッジ暗縞が形成され、一方、前記電界力の方向と、第二導電フィルムのエッジの近くにおける液晶分子の回転方向との夾角が９０度未満であると、そこにエッジ暗縞が形成されず、ＵＶ２Ａによる特有の直交垂直光配向方式に起因して、ＴＦＴ基板のサブ画素領域の中部に「十」字状暗縞が形成されてしまう。同じように、図２（ｂ）には、
2019515344.tif 000006
状暗縞が形成され、図２（ｃ）には、
2019515344.tif 000007
状暗縞が形成され、図２（ｄ）には、
2019515344.tif 000008
状暗縞が形成されている。上述した暗縞は、液晶パネルの透過率を低下させ、液晶パネルのコントラストに影響を与えてしまう。
【００２４】
図３に示すように、本発明の実施例に係る液晶パネル（不図示）は、ＴＦＴ基板（不図示）、液晶層（不図示）、及び、ＣＦ基板（不図示）を含む。そのうち、ＴＦＴ基板には、複数のサブ画素領域が含まれ、ＣＦ基板には、複数のサブフィルタ単位領域が含まれており、ＴＦＴ基板における各サブ画素領域と、ＣＦ基板における各サブフィルタ単位領域とが、対応して設けられている。ＴＦＴ基板における各サブ画素領域のそれぞれには、第一導電フィルム１が設けられており、ＣＦ基板における各サブフィルタ単位領域のそれぞれには、第二導電フィルム３が設けられており、第一導電フィルム１と第二導電フィルム３とが、対向して設けられている。第一導電フィルム１と第二導電フィルム３とは、共に透明で面状となる半導体導電フィルムであり、電極として用いられて、電荷を蓄積する機能を有する。本実施例において、第一導電フィルム１と第二導電フィルム３とは、共に透明なＩＴＯ（Ｉｎｄｉｕｍ  Ｔｉｎ  Ｏｘｉｄｅ、インジウムスズ酸化物）フィルムであり、ＩＴＯフィルムは、良好な導電能力、光学特性、化学的安定性、エッチング均一性および適切な表面形状を有する。他の実施例において、他の材料組成の透明導電フィルムを用いてもよい。
【００２５】
本実施例において、第一導電フィルム１と第二導電フィルム３とは、共に矩形であり、矩形の導電フィルムは、製造されやすい。他の実施例において、第一導電フィルム１及び第二導電フィルム３は、必要に応じて、他の形状に設けられてもよい。第二導電フィルム２の中心と、第一導電フィルム１のＣＦ基板上での投影の中心とは重なり合っており、即ち、図３に示す方向から見て、第二導電フィルム３と第一導電フィルム１とが、同心に設けられている。第二導電フィルム３の面積は、第一導電フィルム１の面積よりも大きく、第二導電フィルム３における第一導電フィルム１よりも大きい部分には、環状導電フィルム（不図示）が形成されており、前記環状導電フィルムの４辺のそれぞれには、切欠３１が開設されている。そのうち、切欠３１のそれぞれは、その位置する環状導電フィルムの辺の中心に関して対称であり、即ち、切欠３１のそれぞれは、その位置する環状導電フィルムの辺の中心を起点として、前記中心の左右両側へ同じ長さで延びている。切欠３１のそれぞれの幅は、その幅方向で前記環状導電フィルムが完全に切り取られて、当該切欠３１の一辺と第一導電フィルム１のエッジとが揃えられるように設けられている。
【００２６】
本実施例において、ＵＶ２Ａ技術を用いて、液晶の配向を行う。ＣＦ基板及びＴＦＴ基板のそれぞれには、配向膜（不図示）が塗布されており、前記配向膜は、ポリイミド製である。他の実施例において、他の高分子材料によって前記配向膜が製造されてもよい。ＵＶ２Ａによる特有の直交垂直光配向方式に起因して、ＴＦＴ基板のサブ画素領域の中部に、依然として「十」字状暗縞が形成され、この「十」字状暗縞は、客観的な存在であり、除去できない。しかし、ＴＦＴ基板のサブ画素領域の周縁には、前記環状導電フィルムの各辺に切欠３１が設けられているため、切欠３１の位置から液晶分子に対してフリンジ電界効果を及ぼさなくなり、これにより、液晶分子は、傾倒方向における交差、乗り上げが発生することなく、ＵＶ光の配向方向に従って整然と配列することができ、その結果、前記エッジ暗縞の形成が回避された。図４は、ソフトウェアシミュレーションによって得られたＴＦＴ基板のサブ画素領域における暗縞の様子を示している。図４に示すように、本実施例における暗縞は、「十」字状暗縞になっており、上述したエッジ暗縞がない。従って、ソフトウェアシミュレーションの結果は、本実施例による解決手段によれば、暗縞を減少させることができるのを証明した。
【００２７】
本実施例において、第二導電フィルム３にとって、その各辺の両端部分に比べて、その各辺の中間部分のほうは、透過率に与える影響が大きい。具体的に、切欠３１を設ける前は、第二導電フィルム３の各辺について、その辺における全ての部分が、液晶分子に前記電界力を印加することになり、前記電界力に起因して、前記エッジ暗縞が生じてしまう。しかしながら、第二導電フィルム３の各辺の両端部分に起因した暗縞は、液晶パネルにおける他の構造によって遮蔽されるため、全体の透過率に大きな影響を与えないが、第二導電フィルム３の各辺の中間部分に起因した暗縞は、他の構造によって遮蔽されないため、全体の透過率に極めて大きな影響を与えてしまう。そこで、本実施例において、第二導電フィルム３の各辺の中間部分に切欠３１を開設することにより、第二導電フィルム３の各辺の他の位置に切欠を開設するのに比べて、透過率をより好適に向上させることができる。
【００２８】
本実施例において、図５に示すように、複数の第二導電フィルム３の対応する複数の前記環状導電フィルムが繋がっており、複数の第一導電フィルム１と複数の切欠３１とは、共に横方向及び縦方向でアレイ状に分布しているため、複数の画素構造の電極が互いに導通されている。
【００２９】
以上より、本実施例の液晶パネルは、ＣＦ基板における第二導電フィルム３の各辺に切欠３１を設け、切欠３１を長さ方向で第一導電フィルム１の辺の中心に関して対称的に分布させ、切欠３１の一辺を幅方向で第一導電フィルム１の辺と揃えることにより、液晶分子に対する切欠３１の位置からのフリンジ電界効果を解消し、エッジ暗縞の形成を回避したので、暗縞の度合いを軽減し、液晶パネルの透過率及びコントラストを向上させている。
【００３０】
本発明の実施例は、上述の実施例において説明した液晶パネルを有する液晶ディスプレイを更に提供している。
【００３１】
上述したは、本発明の具体的な実施形態に過ぎず、本発明の保護範囲は、これに限定されるものではなく、当業者であれば、誰でも、本発明に開示の技術範囲内で、様々な等価な修正や置換を容易に想到でき、これらの修正や置換は、全て本発明の保護範囲内とされるべきである。従って、本発明の保護範囲は、請求項による保護範囲に従うべきである。
【図１】
2019515344.tif 000009
【図２（ａ）】
2019515344.tif 000010
【図２（ｂ）】
2019515344.tif 000011
【図２（ｃ）】
2019515344.tif 000012
【図２（ｄ）】
2019515344.tif 000013
【図３】
2019515344.tif 000014
【図４】
2019515344.tif 000015
【図５】
2019515344.tif 000016
【国際調査報告】
2019515344.tif 000017
2019515344.tif 000018
2019515344.tif 000019
2019515344.tif 000020
2019515344.tif 000021
2019515344.tif 000022